(57)【要約】【課題】正視位置にいないことを視覚者に気付かせる立体表示装置を提供する。【解決手段】  左眼画像を表示するサブ画素１２と、右眼画像を表示するサブ画素１０と、左眼画像および右眼画像とは異なる第３の画像を表示するサブ画素１１とを備える液晶パネルと、サブ画素１２、サブ画素１０およびサブ画素１１から表示される各画像の結像点を分割して形成するレンチキュラレンズ１５とを備え、レンチキュラレンズ１５は、左眼画像、右眼画像および第３の画像の結像点を順に形成し、左眼画像と右眼画像との結像点を隣り合わせて形成し、第３の画像の結像点を、隣り合う左眼画像および右眼画像の結像点を挟んで形成する立体表示装置。【選択図】図３
2013222012.tif 000002
【特許請求の範囲】
【請求項１】
左眼用画像を表示する第１表示画素と、
右眼用画像を表示する第２表示画素と、
前記左眼用画像および前記右眼用画像とは異なる別の画像を第３表示画像として表示する第３表示画素と
を備える液晶パネルと、
前記第１表示画素、前記第２表示画素および前記第３表示画素から表示される各画像の結像点を分割して形成する結像点分割器とを備え、
前記結像点分割器は、
前記左眼用画像、前記右眼用画像および前記第３表示画像の結像点を順に形成し、  
前記左眼用画像および前記右眼用画像の結像点を隣り合わせて形成し、
前記第３表示画像の結像点を、隣り合う前記左眼用画像および前記右眼用画像の結像点を挟んで形成する
ことを特徴とする立体表示装置。
【請求項２】
請求項１に記載の立体表示装置において、
前記結像点分割器は、前記液晶パネルの前面に配置されるレンチキュラレンズである
ことを特徴とする立体表示装置。
【請求項３】
請求項１または２に記載の立体表示装置において、
前記液晶パネルは、
前記第１表示画素、前記第２表示画素、および前記第３表示画素をサブ画素として有する表示画素を備える
ことを特徴とする立体表示装置。
【請求項４】
請求項３に記載の立体表示装置において、
前記レンチキュラレンズのレンズ幅は、前記サブ画素の幅の２倍よりも長く、３倍よりも短い
ことを特徴とする立体表示装置。
【請求項５】
請求項１から４のいずれか１つに記載の立体表示装置において、
前記第３表示画像は、黒画像である
ことを特徴とする立体表示装置。
【請求項６】
請求項１から４のいずれか１つに記載の立体表示装置において、
前記第３表示画像は、白画像である
ことを特徴とする立体表示装置。
【発明の詳細な説明】
【技術分野】
【０００１】
本発明は、立体表示装置に係り、視差分割方式の立体表示装置の技術に関する。
【背景技術】
【０００２】
立体表示装置は、左眼画像と右眼画像とを表示することで、立体像を表示することができる。この左眼画像および右眼画像の表示方法に関しては、種々の方法が実現されているが、空間分割方式と時分割方式とに大別される。ここでは、空間分割方式の一種である視差分割方式の立体表示装置について説明する。
【０００３】
視差分割方式の立体表示装置には、液晶パネルの前面に、レンチキュラレンズまたはパララックスバリアが配置されている。これにより、液晶パネルから表示される左眼画像および右眼画像は、それぞれ分割された結像点で結像される。左眼画像の結像点に視覚者の左眼が、右眼画像の結像点に視覚者の右眼が位置すると、視覚者は立体像を見ることができる。この視覚者の位置を正視位置という。たとえば、特許文献１には、レンチキュラレンズを用いた視差分割方式の立体表示装置が開示されている。
【先行技術文献】
【特許文献】
【０００４】
【特許文献１】特許４４００１７２号公報
【発明の概要】
【発明が解決しようとする課題】
【０００５】
特許文献１に記載の立体表示装置では、特許文献１の図７に示されているように、左右両眼の間隔ごとに、照度のピーク点が形成されている。この照度のピーク点において、左眼画像の結像点と右眼画像の結像点とがそれぞれ交互に形成される。このピーク点について、図１３を参照して説明する。図１３は、右眼画像の結像点ＲＩｐと左眼画像の結像点ＬＩｐとが、立体表示装置５０の表示面と平行な面上にそれぞれ交互に形成されることを示している。
【０００６】
このように結像点が形成されると、右眼画像の結像点に視覚者の左眼が、左眼画像の結像点に視覚者の右眼が位置した場合、奥行きが逆転した立体像が視覚者に認識される。この左眼画像と右眼画像が逆転して視覚者の眼に入射する位置を逆視位置という。表示される立体像が、視覚者にとって初めて見る立体像の場合、逆視位置にいることに気付かずに、奥行きが逆転した立体像を正しい立体像と認識してしまう問題がある。
【０００７】
本発明は、このような事情に鑑みてなされたものであって、正視位置にいないことを視覚者に気付かせる立体表示装置を提供することを目的とする。
【課題を解決するための手段】
【０００８】
本発明は、このような目的を達成するために、次のような構成をとる。
すなわち、本発明は、左眼用画像を表示する第１表示画素と、右眼用画像を表示する第２表示画素と、前記左眼用画像および前記右眼用画像とは異なる別の画像を第３表示画像として表示する第３表示画素とを備える液晶パネルと、前記第１表示画素、前記第２表示画素および前記第３表示画素から表示される各画像の結像点を分割して形成する結像点分割器とを備え、前記結像点分割器は、前記左眼用画像、前記右眼用画像および前記第３表示画像の結像点を順に形成し、前記左眼用画像および前記右眼用画像の結像点を隣り合わせて形成し、前記第３表示画像の結像点を、隣り合う前記左眼用画像および前記右眼用画像の結像点を挟んで形成することを特徴とする立体表示装置である。
【０００９】
液晶パネルは第１表示画素、第２表示画素および第３表示画素を備える。第１表示画素から左眼用画像が表示される。第２表示画素から右眼用画像が表示される。第３表示画素からは、左眼用画像および右眼用画像とは異なる別の画像が第３表示画像として表示される。結像点分割器は、第１表示画素、第２表示画素および第３表示画素から表示される各画像の結像点を分割して順に形成する。左眼用画像および右眼用画像の結像点は、隣り合って形成される。第３表示画像の結像点は、隣り合う左眼用画像および右眼用画像の結像点を挟んで形成される。すなわち、隣り合う左眼用画像および右眼用画像の結像点の外側に第３表示画像の結像点が形成される。これにより、視覚者は、正視位置ではない位置においては、左右いずれかの眼で、左眼用画像でもなく右眼用画像でもない第３表示画像の結像点における別の画像を見る。
【００１０】
このように、正視位置にいなければ、左眼と右眼とで見る画像が異なるので、視覚者は、表示されている画像に違和感を覚える。また、視覚者は立体像を見ることができないことからも、正視位置にいないことに気付く。このようにして、視覚者に正視位置にいないことを気付かせることができる。また、視覚者は、左眼で右眼用画像を、右眼で左眼用画像を見ることがないので、逆視を防止することができる。
【００１１】
また、前記結像点分割器は、前記液晶パネルの前面に配置されるレンチキュラレンズであることが好ましい。結像点分割器が液晶パネルの前面に配置されるレンチキュラレンズであれば、第１表示画素および第２表示画素からそれぞれ表示する画像が拡大されるので、画素間隔による輝度の落ち込みを低減することができる。
【００１２】
また、前記液晶パネルは、前記第１表示画素、前記第２表示画素、および前記第３表示画素をサブ画素として有する表示画素を備えてもよい。第１表示画素、第２表示画素および第３表示画素をサブ画素として有することで、解像度の低減を防止することができる。
【００１３】
また、前記レンチキュラレンズのレンズ幅は、前記サブ画素の幅の２倍よりも長く、３倍よりも短いことが好ましい。レンズ幅がサブ画素の幅の２倍よりも長く、３倍よりも短いので、第１表示画素および第２表示画素であるサブ画素を好適にレンズで覆うことができる。
【００１４】
また、前記第３表示画像は、黒画像であることが好ましい。黒画像が第３表示画像として表示されれば、第３表示画素の結像点には何も表示されない。これにより、視覚者が正視位置にいない場合、暗い平面画像しか見えないので、自ら正視位置にいないことに気付くことができる。  
【００１５】
また、前記第３表示画像は、白画像であることが好ましい。白画像が第３表示画像として表示されれば、第３表示画素の結像点に明るい白画像が表示される。これにより、視覚者が正視位置にいない場合、明るい平面画像を見るので、自ら正視位置にいないことに気付くことができる。
【発明の効果】
【００１６】
本発明によれば、正視位置にいないことを視覚者に気付かせる立体表示装置を提供することができる。
【図面の簡単な説明】
【００１７】
【図１】実施例１に係る立体表示装置の概略構成を示すブロック図である。
【図２】実施例１に係る画素とレンチキュラレンズとを示す斜視図である。
【図３】実施例１に係る画素とレンチキュラレンズとを示す断面図である。
【図４】実施例１に係る画素から出射した光の進行を示す説明図である。
【図５】実施例１に係る立体表示装置と視覚者の位置関係を示す説明図である。
【図６】実施例１に係る正視位置と誤視位置とを示す説明図である。
【図７】実施例１に係る立体表示装置の照度分布図である。
【図８】実施例１に係る画素点灯時の輝度分布図である。
【図９】実施例２に係る立体表示装置の概略構成を示すブロック図である。
【図１０】実施例２に係る画素とレンチキュラレンズとを示す斜視図である。
【図１１】実施例２に係る画素から出射した光の進行を示す説明図である。
【図１２】変形例に係る画素から出射した光の進行を示す説明図である。
【図１３】従来例に係る正視位置と逆視位置とを示す説明図である。
【発明を実施するための形態】
【実施例１】
【００１８】
以下、図面を参照して本発明の実施例１を説明する。図１は実施例１における立体表示装置の概略構成を示すブロック図であり、図２は実施例１における画素とレンチキュラレンズとを示す斜視図である。なお、本明細書において、液晶パネルの表示面側を前方、その反対側を後方とする。
【００１９】
１．立体表示装置の概略構成
図１に示すように、立体表示装置１は、左眼画像および右眼画像を表示する液晶パネル２と、液晶パネル２の後方から光を照射するバックライト３と、バックライト３を駆動制御するバックライト駆動部４と、立体表示装置１に入力される立体映像信号に対して信号処理をする映像信号処理部５と、処理された立体映像信号に基づいて液晶パネル２の画素６に配置された液晶を駆動する液晶駆動部７と、画素６を透過した光の結像点を分割して形成する結像点分割器８と、入力される立体映像信号と異なる画像データが保管されているメモリ９とを備える。
【００２０】
液晶パネル２は、本実施例においては、薄膜トランジスタ（ＴＦＴ）を用いたアクティブマトリックス型を採用している。液晶パネル２には、画素６が２次元マトリックス状に複数個配置されている。各画素６は３個のサブ画素１０〜１２を有する。各サブ画素１０〜１２はそれぞれ個別に駆動される。画素６の前面には、液晶を保護するためのガラスシート１３が配置されている。ガラスシート１３の前面に、結像点分割器８が配置される。実施例１において、液晶パネル２は、カラーフィルタを備えないモノクロ表示のパネル、あるいは、単色のカラーフィルタを備えるモノクロ表示のパネルである。
【００２１】
バックライト３は、液晶パネル２の後方に配置されている。バックライト３として、冷陰極管（ＣＣＦＬ）または発光ダイオード（ＬＥＤ）を採用する。バックライト３から照射された光が液晶パネル２を透過する。バックライト駆動部４は、バックライト３の光量を制御することで、液晶パネル２から表示される立体像を適切な明るさにする。
【００２２】
映像信号処理部５は、入力される立体映像信号の規格変換や、スケーリングおよび色補正を実施する。入力される１フレーム分の立体映像信号には、左眼画像と右眼画像とが含まれる。また、メモリ９には、立体映像信号に含まれる左眼画像および右眼画像とは異なる第３の画像が保管されている。映像信号処理部５は、メモリ９に保管されている第３の画像を読み出して、信号処理された左眼画像および右眼画像とともに液晶駆動部７へ出力する。映像信号処理部５は、マイクロプロセッサで構成される。
【００２３】
液晶駆動部７は、入力される画像データに応じて液晶パネル２の各画素６に備わる液晶を駆動する。液晶駆動部７は、各サブ画素１０〜１２の液晶に印加する電圧を制御するサブ画素駆動部１４を備える。すなわち、映像信号処理部５から送られる左眼画像、右眼画像および第３の画像に応じて、各サブ画素１０〜１２の液晶に印加する電圧が個別に制御される。各サブ画素１０〜１２において光の透過量が制御されるので、画素６ごとに左眼画像、右眼画像および第３の画像が表示される。
【００２４】
２．結像点分割器
次に、図２〜図４を参照して、結像点分割器の説明をする。図３は画素とレンチキュラレンズとを示す断面図であり、図４は画素から出射した光の進行を示す説明図である。実施例１では、結像点分割器８としてレンチキュラレンズ１５を採用する。レンチキュラレンズ１５は、基材となるシート部１６とレンズ１７とを有する。レンズ１７の凸部１７ａは画素６側に配置されている。レンズ１７は、液晶パネル２の縦方向に伸びるシリンドリカルレンズであり、液晶パネル２の横方向に順に配置されている。
【００２５】
３個のサブ画素１０〜１２のうち1個は左眼画像、1個は右眼画像、残りの1個が第３の画像を表示する。ここでは、サブ画素１０は右眼画像を表示し、サブ画素１２は左眼画像を表示し、サブ画素１０とサブ画素１２の間に配置されたサブ画素１１が第３の画像を表示する。第３の画像として、実施例１では白画像または黒画像を表示するが、右眼画像および左眼画像と異なる画像であれば白画像または黒画像以外の画像でもよい。
【００２６】
レンズ１７の両端は、第３の画像を表示するサブ画素１１上に配置されている。すなわち、レンズ１７はサブ画素１１とその次に配置されたサブ画素１１との間に配置されたサブ画素１０および１２を跨ぐように配置されている。
【００２７】
レンズ１７のレンズピッチＰｔ１は、画素６の画素ピッチＰｔ２と同じである。液晶パネル２の画面サイズが大きい場合、レンズピッチＰｔ１を画素ピッチＰｔ２よりも小さくしてもよい。より好ましくは、レンズピッチＰｔ１は、サブ画素１０〜１２のサブ画素ピッチＰｔ３の２倍以上３倍以下である。
【００２８】
次に、サブ画素１０〜１２を透過した光の進行について、図４を参照して説明する。サブ画素１０を透過した光ＬｇＲは、各レンズ１７を透過する過程で屈折し、右眼画像結像点ＲＩｐへ集光される。また、サブ画素１２を透過した光ＬｇＬは、各レンズ１７を透過する過程で屈折し、左眼画像結像点ＬＩｐへ集光される。サブ画素１１を透過した光ＬｇＴは、各レンズ１７を透過する過程で屈折し、第３画像結像点ＴＩｐへ集光される。
【００２９】
図５は、立体表示装置１と視覚者との位置関係を示す説明図である。実施例１では、立体表示装置１のレンチキュラレンズ１５から距離ＤＩ離れた平面上に、液晶パネル２の中心を中心として、間隔Ｄｅの位置に視覚者の右眼および左眼が位置するように光学設計されている。実施例１において、距離ＤＩは５００ｍｍ〜６００ｍｍ、間隔Ｄｅを６４ｍｍとしている。
【００３０】
図５に示す光学モデルにおいて、左眼画像結像点ＬＩｐおよび右眼画像結像点ＲＩｐは、それぞれ、液晶パネル２と平行な平面上に順に交互に形成される（図６参照）。第３画像結像点ＴＩｐは、隣り合う左眼画像結像点ＬＩｐおよび右眼画像結像点ＲＩｐを挟んで形成される。各結像点の間隔は、視覚者の両眼間隔Ｄｅとなることが好ましい。左眼画像結像点ＬＩｐに視覚者の左眼が、右眼画像結像点ＲＩｐに視覚者の右眼が配置される正視位置に視覚者が位置していると、視覚者は、立体像を正確に視覚することができる。
【００３１】
これに対して、視覚者が正視位置以外の位置、すなわち、左眼画像結像点ＬＩｐに視覚者の右眼が配置され、第３画像結像点ＴＩｐに視覚者の左眼が配置される位置、または、右眼画像結像点ＲＩｐに視覚者の左眼が配置され、第３画像結像点ＴＩｐに視覚者の右眼が配置される位置に視覚者が位置すると、立体像が認識されず平面画像が認識される。このようにして、視覚者は自らが正視位置にいないことに気付くことができる。また、第３の画像が白画像の場合、第３画像結像点ＴＩｐにて白画像が認識され、視覚者は、両眼で認識される平面画像が異常に明るく感じられる。これにより、視覚者は自らが正視位置にいないことにより簡易に気付くことができる。視覚者は、液晶パネル２に対して、より中央側に移動することで、正視位置に戻ることができ、立体像を正しく見ることができる。なお、上述のような正視位置以外の位置を、本明細書では、以下、「誤視位置」という。
【００３２】
また、第３の画像として黒画像を表示する場合、第３画像結像点ＴＩｐにて黒画像が認識される。すなわち、視覚者が誤視位置にいると、異常に暗い平面画像を見ることになる。これにより、視覚者が自ら正視位置にいないことを認識することができる。図７は第３の画像として黒画像を採用した際の、視覚者が見る照度分布をシミュレーションした図である。
【００３３】
液晶パネル２の中心から左右それぞれ３２ｍｍのところに、左眼画像結像点ＬＩｐおよび右眼画像結像点ＲＩｐが配置されている。すなわち、液晶パネル２の中心を中心として横方向に６４ｍｍの間隔で左眼画像結像点ＬＩｐおよび右眼画像結像点ＲＩｐが配置されている。第３の画像として黒表示を採用しているので、第３画像結像点ＴＩｐには何も画像が結像されない黒表示となる。この場合、正視位置における左眼画像結像点ＬＩｐから、次の正視位置における右眼画像結像点ＲＩｐまで距離が長く、視覚者の両眼の間隔を越えている。すなわち、視覚者が、左眼画像および右眼画像を反転して見る逆視位置が形成されることがない。このようにして、視覚者が奥行きが反転した立体像を見ることを防止することができる。
【００３４】
また、結像点分割器８としてレンチキュラレンズ１５を採用することで、各画像を表示する各サブ画素間の落ち込みを低減することができる。この効果を図示したものが、図８である。図８は、液晶パネル２の中央に位置する４個の画素６内のサブ画素を、２個のサブ画素間隔で点灯した際の輝度分布図である。２個分のサブ画素間の輝度の落ち込みの幅は、各サブ画素から照射される光の幅よりも小さい。すなわち、左眼画像および右眼画像はそれぞれ各画素６において、３個のサブ画素１０〜１２の内の１個のサブ画素からしか表示されないが、レンズ１７により、３個分のサブ画素の幅にまで拡大される。
【００３５】
実施例１の発明によれば、左眼画像を表示する画素と、右眼画像を表示する画素と、第３の画像を表示する画素とから出射される光をレンチキュラレンズ１５を用いて、各画像の結像点を順に分割して形成する。すなわち、正視位置における左眼画像結像点ＬＩｐと次の正視位置における右眼画像結像点ＲＩｐ、または、正視位置における右眼画像結像点ＲＩｐと次の正視位置における左眼画像結像点ＬＩｐとの間に、第３画像結像点ＴＩｐを形成する。言い換えると、第３画像結像点ＴＩｐを、隣り合わせて形成する左眼画像結像点ＬＩｐおよび右眼画像結像点ＲＩｐを間に挟んで形成する。
【００３６】
これにより、正視位置における左眼画像結像点ＬＩｐと次の正視位置における右眼画像結像点ＲＩｐ、または、正視位置における右眼画像結像点ＲＩｐと次の正視位置における左眼画像結像点ＬＩｐとの距離が視覚者の両眼間隔Ｄｅを越えるので、逆視位置が形成されず、視覚者が立体像を逆視することを防止することができる。また、視覚者が誤視位置にいると、左眼画像または右眼画像と第３の画像との合成画像である平面画像が見えるので、立体像を見ることができず、正視位置にいないことに自ら気付くことができる。また、サブ画素１０、１２単位で左眼画像および右眼画像を表示するので、解像度を低下させることなく単色立体像を表示することができる。
【実施例２】
【００３７】
次に、図９から図１１を参照して実施例２に係る立体表示装置１’について説明する。図９は、実施例２における立体表示装置の概略構成を示すブロック図であり、図１０は実施例２における画素とレンチキュラレンズとを示す斜視図であり、図１１は画素とレンチキュラレンズとを示す断面図である。図９から図１１において、実施例１に示した符号と同一の符号で示した部分は、実施例１と同様の構成であるのでここでの説明は省略する。また、以下に記載した以外の立体表示装置１’の構成は実施例１と同様である。
【００３８】
実施例１では、サブ画素単位で左眼画像、右眼画像および第３の画像を表示しているが、実施例２では、画素単位で左眼画像、右眼画像および第３の画像を表示する。すなわち、レンチキュラレンズ１５’のレンズ１７’の幅が３画素を覆うように配置されている。
【００３９】
実施例２の特徴は、画素６単位で左眼画像、右眼画像および第３の画像を表示することにある。また、各画素６には、実施例１と同様に３個のサブ画素１０’〜１２’を有する。サブ画素１０’〜１２’の前面には、Ｒ，Ｇ、Ｂのカラーフィルタが設けられている。これにより、実施例２の立体表示装置１’は、カラーの立体像を表示することができる。
【００４０】
実施例２における液晶駆動部２０は、実施例１における液晶駆動部７の機能に加えて、映像信号割当部２１およびサブ画素駆動部２２を備える。映像信号割当部２１は、左眼画像信号、右眼画像信号および第３の画像信号をどの画素６に送るかを割り当てる。サブ画素駆動部２２は、各画素に割り当てられた画像信号のＲ、Ｇ，Ｂ値を基に、サブ画素１０’〜１２’の液晶に印加する電圧を制御する。
【００４１】
また、実施例２におけるレンチキュラレンズ１５’のレンズ１７’は、画素６の３個分の幅を有する。レンズ１７’の両端は、第３の画像を表示する画素６上に配置される。すなわち、レンズ１７’は左眼画像を表示する画素６とその隣に配置された右眼画像を表示する画素６を跨ぐように配置されている。
【００４２】
レンズ１７’のレンズピッチＰｔ１’は、画素６の画素ピッチＰｔ２の３倍である。液晶パネル２の画面サイズが大きい場合、レンズピッチＰｔ１’を画素ピッチＰｔ２の３倍よりも小さくしてもよい。より好ましくは、レンズピッチＰｔ１’は、画素ピッチＰｔ２の２倍以上３倍以下である。
【００４３】
実施例２の立体表示装置１’によれば、実施例１と比べて解像度が低下するものの、カラーで立体表示することができる。また、視覚者が誤視位置にいると、立体像を見ることができないので、正視位置にいないことに自ら気付くことができる。また、逆視位置が形成されないので、視覚者が立体像を逆視することを防止することができる。
【００４４】
本発明は、上記実施形態に限られることはなく、下記のように変形実施することができる。
【００４５】
上述した実施例では、結像点分割器８としてレンチキュラレンズ１５を用いたがこれに限らず、パララックスバリアを用いてもよい。図１２には、結像点分割器８としてパララックスバリア３１を用いた場合の、画素６から出射した光の進行を示している。パララックスバリア３１を用いても、左眼画像結像点ＬＩｐ、右眼画像結像点ＲＩｐおよび第３画像結像点ＴＩｐを順に形成することができる。これにより、視覚者が正視位置にいない場合、そのことを視覚者に気付かせることができる。
【符号の説明】
【００４６】
１  …  立体表示装置
２  …  液晶パネル
６  …  画素
８  …  結像点分割器
１０、１１、１２  …  サブ画素
１５  …  レンチキュラレンズ
１７  …  レンズ
ＬＩｐ  …  左眼画像結像点
ＲＩｐ  …  右眼画像結像点
ＴＩｐ  …  第３画像結像点
【図１】
2013222012.tif 000003
【図２】
2013222012.tif 000004
【図３】
2013222012.tif 000005
【図４】
2013222012.tif 000006
【図５】
2013222012.tif 000007
【図６】
2013222012.tif 000008
【図７】
2013222012.tif 000009
【図８】
2013222012.tif 000010
【図９】
2013222012.tif 000011
【図１０】
2013222012.tif 000012
【図１１】
2013222012.tif 000013
【図１２】
2013222012.tif 000014
【図１３】
2013222012.tif 000015
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
左眼用画像を表示する第１表示画素と、
右眼用画像を表示する第２表示画素と、
前記左眼用画像および前記右眼用画像とは異なる別の画像を第３表示画像として表示する第３表示画素と
を備える液晶パネルと、
前記第１表示画素、前記第２表示画素および前記第３表示画素から表示される各画像の結像点を分割して形成するレンチキュラレンズとを備え、
前記レンチキュラレンズは、レンズの凸部を前記液晶パネル側に向けて前記液晶パネルの前面に配置され、
前記レンチキュラレンズは、
前記左眼用画像、前記右眼用画像および前記第３表示画像の結像点を順に形成し、  
前記左眼用画像および前記右眼用画像の結像点を隣り合わせて形成し、
前記第３表示画像の結像点を、隣り合う前記左眼用画像および前記右眼用画像の結像点を挟んで形成する
ことを特徴とする立体表示装置。
【請求項２】
請求項１に記載の立体表示装置において、
前記液晶パネルは、前記第１表示画素、前記第２表示画素、および前記第３表示画素をサブ画素として有する表示画素を備え、
前記レンチキュラレンズは、前記サブ画素の表示を前記表示画素分の幅に拡大する
ことを特徴とする立体表示装置。
【請求項３】
請求項１に記載の立体表示装置において、
前記液晶パネルは、前記第１表示画素、前記第２表示画素、および前記第３表示画素をサブ画素として有する表示画素を備え、
前記レンチキュラレンズのレンズ幅は、前記サブ画素の幅の２倍よりも長く、３倍よりも短い
ことを特徴とする立体表示装置。
【請求項４】
請求項１から３のいずれか１つに記載の立体表示装置において、
前記第３表示画像は、黒画像である
ことを特徴とする立体表示装置。
【請求項５】
請求項１から３のいずれか１つに記載の立体表示装置において、
前記第３表示画像は、白画像である
ことを特徴とする立体表示装置。
【手続補正２】
【補正対象書類名】明細書
【補正対象項目名】０００８
【補正方法】変更
【補正の内容】
【０００８】
本発明は、このような目的を達成するために、次のような構成をとる。
すなわち、本発明は、左眼用画像を表示する第１表示画素と、右眼用画像を表示する第２表示画素と、前記左眼用画像および前記右眼用画像とは異なる別の画像を第３表示画像として表示する第３表示画素とを備える液晶パネルと、前記第１表示画素、前記第２表示画素および前記第３表示画素から表示される各画像の結像点を分割して形成するレンチキュラレンズとを備え、前記レンチキュラレンズは、レンズの凸部を前記液晶パネル側に向けて前記液晶パネルの前面に配置され、前記レンチキュラレンズは、前記左眼用画像、前記右眼用画像および前記第３表示画像の結像点を順に形成し、前記左眼用画像および前記右眼用画像の結像点を隣り合わせて形成し、前記第３表示画像の結像点を、隣り合う前記左眼用画像および前記右眼用画像の結像点を挟んで形成することを特徴とする立体表示装置である。
【手続補正３】
【補正対象書類名】明細書
【補正対象項目名】０００９
【補正方法】変更
【補正の内容】
【０００９】
液晶パネルは第１表示画素、第２表示画素および第３表示画素を備える。第１表示画素から左眼用画像が表示される。第２表示画素から右眼用画像が表示される。第３表示画素からは、左眼用画像および右眼用画像とは異なる別の画像が第３表示画像として表示される。レンチキュラレンズは、第１表示画素、第２表示画素および第３表示画素から表示される各画像の結像点を分割して順に形成する。左眼用画像および右眼用画像の結像点は、隣り合って形成される。第３表示画像の結像点は、隣り合う左眼用画像および右眼用画像の結像点を挟んで形成される。すなわち、隣り合う左眼用画像および右眼用画像の結像点の外側に第３表示画像の結像点が形成される。これにより、視覚者は、正視位置ではない位置においては、左右いずれかの眼で、左眼用画像でもなく右眼用画像でもない第３表示画像の結像点における別の画像を見る。
【手続補正４】
【補正対象書類名】明細書
【補正対象項目名】００１１
【補正方法】変更
【補正の内容】
【００１１】
また、レンチキュラレンズは、前記液晶パネルの前面に配置される。レンチキュラレンズが液晶パネルの前面に配置されれば、第１表示画素および第２表示画素からそれぞれ表示する画像が拡大されるので、画素間隔による輝度の落ち込みを低減することができる。